【手続補正書】
【提出日】平成15年10月16日(2003.10.16)
【手続補正１】
【補正対象書類名】明細書
【補正対象項目名】特許請求の範囲
【補正方法】変更
【補正の内容】
【特許請求の範囲】
【請求項１】
電子写真画像形成装置本体に用いられる、電子写真感光体からトナーを除去するためのクリーニング装置において、
電子写真感光体からトナーを除去するためのクリーニング部材と、
前記クリーニング部材によって前記電子写真感光体から除去されたトナーを、トナー搬送部材によって搬送するためのトナー搬送部であって、前記トナー搬送部材によってトナーを搬送するトナー搬送方向において、前記トナー搬送部を複数のトナー搬送室に区切るトナー搬送部内仕切り部材と、前記トナー搬送部内仕切り部材に設けられた、前記トナー搬送方向へトナーを通過させる搬送開口と、を有するトナー搬送部と、
前記トナー搬送部との間に配置されたトナー搬送部間仕切り部材によって前記トナー搬送部と仕切られている、前記クリーニング装置が前記装置本体に装着された際に、前記トナー搬送部より下方に設けられた、前記トナー搬送部内を搬送されてきたトナーを収納するためのトナー収納部であって、前記トナー搬送方向において、複数のトナー収納室に区切るトナー収納部内仕切り部材と、前記トナー搬送部間仕切り部材に設けられた、前記複数のトナー搬送室からそれぞれの前記複数のトナー収納室にトナーを通過させるための複数の収納開口と、を有するトナー収納部と、
を有することを特徴とするクリーニング装置。
【請求項２】
前記トナー搬送部材は、前記複数のトナー搬送室にそれぞれ配置されている、そして、前記トナー搬送部材は装置本体から伝達された駆動力によって回転する回転板を有する請求項１に記載のクリーニング装置。
【請求項３】
前記トナー搬送部間仕切部材は円弧部分を有している、ここで円弧部分に沿って前記トナー搬送部材は回転する請求項１または請求項２に記載のクリーニング装置。
【請求項４】
更に、前記クリーニング装置は、
前記トナー収納部内に収納されたトナーが所定量に達したことを検知するための光透過口であって、前記トナー収納部を構成するクリーニングフレームに２箇所設けられて、前記トナー搬送方向において下流側に配置されている光透過口を有することを特徴とする請求項１から請求項３のいずれか１つに記載のクリーニング装置。
【請求項５】
一方の前記光透過口には装置本体に設けられたランプからの光が入射する、また、他方の前記光透過口からは前記装置本体から前記トナー収納部内に侵入した光が前記装置本体に設けられた光検知素子に向かって出射する請求項４に記載のクリーニング装置。
【請求項６】
電子写真画像形成装置本体に着脱可能なプロセスカートリッジにおいて、
電子写真感光体と、
前記電子写真感光体からトナーを除去するためのクリーニング部材と、
前記クリーニング部材によって前記電子写真感光体から除去されたトナーを、トナー搬送部材によって搬送するためのトナー搬送部であって、前記トナー搬送部材によってトナーを搬送するトナー搬送方向において、前記トナー搬送部を複数のトナー搬送室に区切るトナー搬送部内仕切り部材と、前記トナー搬送部内仕切り部材に設けられた、前記トナー搬送方向へトナーを通過させる搬送開口と、を有するトナー搬送部と、
前記トナー搬送部との間に配置されたトナー搬送部間仕切り部材によって前記トナー搬送部と仕切られている、前記クリーニング装置が前記装置本体に装着された際に、前記トナー搬送部より下方に設けられた、前記トナー搬送部内を搬送されてきたトナーを収納するためのトナー収納部であって、前記トナー搬送方向において、複数のトナー収納室に区切るトナー収納部内仕切り部材と、前記トナー搬送部間仕切り部材に設けられた、前記複数のトナー搬送室からそれぞれの前記複数のトナー収納室にトナーを通過させるための複数の収納開口と、を有するトナー収納部と、
を有することを特徴とするプロセスカートリッジ。
【請求項７】
前記トナー搬送部材は、前記複数のトナー搬送室にそれぞれ配置されている、そして、前記トナー搬送部材は装置本体から伝達された駆動力によって回転する回転板を有する請求項６に記載のプロセスカートリッジ。
【請求項８】
前記トナー搬送部間仕切り部材は円弧部分を有している、ここで円弧部分に沿って前記トナー搬送部材は回転する請求項６または請求項７に記載のプロセスカートリッジ。
【請求項９】
更に、前記プロセスカートリッジは、
前記トナー収納部内に収納されたトナーが所定量に達したことを検知するための光透過口であって、前記トナー収納部を構成するクリーニングフレームに２箇所設けられて、前記トナー搬送方向において下流側に配置されている光透過口を有することを特徴とする請求項６から請求項８のいずれか１つに記載のプロセスカートリッジ。
【請求項１０】
一方の前記光透過口には装置本体に設けられたランプからの光が入射する、また、他方の前記光透過口からは前記装置本体から前記トナー収納部内に侵入した光が前記装置本体に設けられた光検知素子に向かって出射する請求項９に記載のプロセスカートリッジ。
【請求項１１】
プロセスカートリッジを着脱可能で、記録媒体に画像を形成するための電子写真画像形成装置において、
（ａ）電子写真感光体と、前記電子写真感光体からトナーを除去するためのクリーニング部材と、前記クリーニング部材によって前記電子写真感光体から除去されたトナーを、トナー搬送部材によって搬送するためのトナー搬送部であって、前記トナー搬送部材によってトナーを搬送するトナー搬送方向において、前記トナー搬送部を複数のトナー搬送室に区切るトナー搬送部内仕切り部材と、前記トナー搬送部内仕切り部材に設けられた、前記トナー搬送方向へトナーを通過させる搬送開口と、を有するトナー搬送部と、前記トナー搬送部との間に配置されたトナー搬送部間仕切り部材によって前記トナー搬送部と仕切られている、前記クリーニング装置が前記装置本体に装着された際に、前記トナー搬送部より下方に設けられた、前記トナー搬送部内を搬送されてきたトナーを収納するためのトナー収納部であって、前記トナー搬送方向において、複数のトナー収納室に区切るトナー収納部内仕切り部材と、前記トナー搬送部間仕切り部材に設けられた、前記複数のトナー搬送室からそれぞれの前記複数のトナー収納室にトナーを通過させるための複数の収納開口と、を有するトナー収納部と、を有するプロセスカートリッジを取り外し可能に装着するための装着部と、
（ｂ）前記記録媒体を搬送するための搬送手段と、
を有することを特徴とする電子写真画像形成装置。
【請求項１２】
電子写真画像形成装置本体に着脱可能なプロセスカートリッジに用いられるクリーニングフレームにおいて、
前記電子写真感光体からトナーを除去するためのクリーニング部材を取り付けるためのクリーニング部材取り付け部と、
前記クリーニング部材取り付け部に取り付けられたクリーニング部材によって前記電子写真感光体から除去されたトナーを搬送するトナ−搬送部材を取り付けるためのトナー搬送部材取り付け部と、
前記トナー搬送部材によってトナーを搬送するためのトナー搬送部であって、前記トナー搬送部材によってトナーを搬送するトナー搬送方向において、前記トナー搬送部を複数のトナー搬送室に区切るトナー搬送部内仕切り部材と、前記トナー搬送部内仕切り部材に設けられた、前記トナー搬送方向へトナーを通過させる搬送開口と、を有するトナー搬送部と、
前記トナー搬送部との間に配置されたトナー搬送部間仕切り部材によって前記トナー搬送部と仕切られている、前記クリーニング装置が前記装置本体に装着された際に、前記トナー搬送部より下方に設けられた、前記トナー搬送部内を搬送されてきたトナーを収納するためのトナー収納部であって、前記トナー搬送方向において、複数のトナー収納室に区切るトナー収納部内仕切り部材と、前記トナー搬送部間仕切り部材に設けられた、前記複数のトナー搬送室からそれぞれの前記複数のトナー収納室にトナーを通過させるための複数の収納開口と、を有するトナー収納部と、
を有することを特徴とするクリーニングフレーム。
【手続補正２】
【補正対象書類名】明細書
【補正対象項目名】０００５
【補正方法】変更
【補正の内容】
【０００５】
【課題を解決するための手段】
本出願に係る第１の発明は電子写真画像形成装置本体に用いられる、電子写真感光体からトナーを除去するためのクリーニング装置において、電子写真感光体からトナーを除去するためのクリーニング部材と、前記クリーニング部材によって前記電子写真感光体から除去されたトナーを、トナー搬送部材によって搬送するためのトナー搬送部であって、前記トナー搬送部材によってトナーを搬送するトナー搬送方向において、前記トナー搬送部を複数のトナー搬送室に区切るトナー搬送部内仕切り部材と、前記トナー搬送部内仕切り部材に設けられた、前記トナー搬送方向へトナーを通過させる搬送開口と、を有するトナー搬送部と、前記トナー搬送部との間に配置されたトナー搬送部間仕切り部材によって前記トナー搬送部と仕切られている、前記クリーニング装置が前記装置本体に装着された際に、前記トナー搬送部より下方に設けられた、前記トナー搬送部内を搬送されてきたトナーを収納するためのトナー収納部であって、前記トナー搬送方向において、複数のトナー収納室に区切るトナー収納部内仕切り部材と、前記トナー搬送部間仕切り部材に設けられた、前記複数のトナー搬送室からそれぞれの前記複数のトナー収納室にトナーを通過させるための複数の収納開口と、を有するトナー収納部と、を有することを特徴とするクリーニング装置である。


【手続補正３】
【補正対象書類名】明細書
【補正対象項目名】０００６
【補正方法】変更
【補正の内容】
【０００６】
本出願に係る第６の発明は電子写真画像形成装置本体に着脱可能なプロセスカートリッジにおいて、電子写真感光体と、前記電子写真感光体からトナーを除去するためのクリーニング部材と、前記クリーニング部材によって前記電子写真感光体から除去されたトナーを、トナー搬送部材によって搬送するためのトナー搬送部であって、前記トナー搬送部材によってトナーを搬送するトナー搬送方向において、前記トナー搬送部を複数のトナー搬送室に区切るトナー搬送部内仕切り部材と、前記トナー搬送部内仕切り部材に設けられた、前記トナー搬送方向へトナーを通過させる搬送開口と、を有するトナー搬送部と、前記トナー搬送部との間に配置されたトナー搬送部間仕切り部材によって前記トナー搬送部と仕切られている、前記クリーニング装置が前記装置本体に装着された際に、前記トナー搬送部より下方に設けられた、前記トナー搬送部内を搬送されてきたトナーを収納するためのトナー収納部であって、前記トナー搬送方向において、複数のトナー収納室に区切るトナー収納部内仕切り部材と、前記トナー搬送部間仕切り部材に設けられた、前記複数のトナー搬送室からそれぞれの前記複数のトナー収納室にトナーを通過させるための複数の収納開口と、を有するトナー収納部と、を有することを特徴とするプロセスカートリッジである。


【手続補正４】
【補正対象書類名】明細書
【補正対象項目名】０００７
【補正方法】変更
【補正の内容】
【０００７】
本出願に係る第１１の発明はプロセスカートリッジを着脱可能で、記録媒体に画像を形成するための電子写真画像形成装置において、
（ａ）電子写真感光体と、前記電子写真感光体からトナーを除去するためのクリーニング部材と、前記クリーニング部材によって前記電子写真感光体から除去されたトナーを、トナー搬送部材によって搬送するためのトナー搬送部であって、前記トナー搬送部材によってトナーを搬送するトナー搬送方向において、前記トナー搬送部を複数のトナー搬送室に区切るトナー搬送部内仕切り部材と、前記トナー搬送部内仕切り部材に設けられた、前記トナー搬送方向へトナーを通過させる搬送開口と、を有するトナー搬送部と、前記トナー搬送部との間に配置されたトナー搬送部間仕切り部材によって前記トナー搬送部と仕切られている、前記クリーニング装置が前記装置本体に装着された際に、前記トナー搬送部より下方に設けられた、前記トナー搬送部内を搬送されてきたトナーを収納するためのトナー収納部であって、前記トナー搬送方向において、複数のトナー収納室に区切るトナー収納部内仕切り部材と、前記トナー搬送部間仕切り部材に設けられた、前記複数のトナー搬送室からそれぞれの前記複数のトナー収納室にトナーを通過させるための複数の収納開口と、を有するトナー収納部と、を有するプロセスカートリッジを取り外し可能に装着するための装着部と、
（ｂ）前記記録媒体を搬送するための搬送手段と、
を有することを特徴とする電子写真画像形成装置である。


【手続補正５】
【補正対象書類名】明細書
【補正対象項目名】０００８
【補正方法】変更
【補正の内容】
【０００８】
本出願に係る第１２の発明は電子写真画像形成装置本体に着脱可能なプロセスカートリッジに用いられるクリーニングフレームにおいて、前記電子写真感光体からトナーを除去するためのクリーニング部材を取り付けるためのクリーニング部材取り付け部と、前記クリーニング部材取り付け部に取り付けられたクリーニング部材によって前記電子写真感光体から除去されたトナーを搬送するトナ−搬送部材を取り付けるためのトナー搬送部材取り付け部と、前記トナー搬送部材によってトナーを搬送するためのトナー搬送部であって、前記トナー搬送部材によってトナーを搬送するトナー搬送方向において、前記トナー搬送部を複数のトナー搬送室に区切るトナー搬送部内仕切り部材と、前記トナー搬送部内仕切り部材に設けられた、前記トナー搬送方向へトナーを通過させる搬送開口と、を有するトナー搬送部と、前記トナー搬送部との間に配置されたトナー搬送部間仕切り部材によって前記トナー搬送部と仕切られている、前記クリーニング装置が前記装置本体に装着された際に、前記トナー搬送部より下方に設けられた、前記トナー搬送部内を搬送されてきたトナーを収納するためのトナー収納部であって、前記トナー搬送方向において、複数のトナー収納室に区切るトナー収納部内仕切り部材と、前記トナー搬送部間仕切り部材に設けられた、前記複数のトナー搬送室からそれぞれの前記複数のトナー収納室にトナーを通過させるための複数の収納開口と、を有するトナー収納部と、を有することを特徴とするクリーニングフレームである。


【手続補正６】
【補正対象書類名】明細書
【補正対象項目名】００７３
【補正方法】変更
【補正の内容】
【００７３】
トナー搬送部１１Ａはトナー搬送部内を仕切るトナー搬送部内仕切り部材（以下、トナー搬送部仕切り部材という）４１ｂで夫々がトナー搬送室を有する第１トナー搬送部１１Ａ１、第２トナー搬送部１１Ａ２、第３トナー搬送部１１Ａ３に分れており、クリーニング容器内仕切り部材４１の後側板４１ｃと後部容器１１ｂとの間の空間はトナー収納部１１Ｂの一部である。


【手続補正７】
【補正対象書類名】明細書
【補正対象項目名】０２０７
【補正方法】変更
【補正の内容】
【０２０７】
【発明の効果】
電子写真感光体からトナーを除去するためのクリーニング部材と、前記クリーニング部材によって前記電子写真感光体から除去されたトナーを、トナー搬送部材によって搬送するためのトナー搬送部であって、前記トナー搬送部材によってトナーを搬送するトナー搬送方向において、前記トナー搬送部を複数のトナー搬送室に区切るトナー搬送部内仕切り部材と、前記トナー搬送部内仕切り部材に設けられた、前記トナー搬送方向へトナーを通過させる搬送開口と、を有するトナー搬送部と、前記トナー搬送部との間に配置されたトナー搬送部間仕切り部材によって前記トナー搬送部と仕切られている、前記クリーニング装置が前記装置本体に装着された際に、前記トナー搬送部より下方に設けられた、前記トナー搬送部内を搬送されてきたトナーを収納するためのトナー収納部であって、前記トナー搬送方向において、複数のトナー収納室に区切るトナー収納部内仕切り部材と、前記トナー搬送部間仕切り部材に設けられた、前記複数のトナー搬送室からそれぞれの前記複数のトナー収納室にトナーを通過させるための複数の収納開口と、を有するトナー収納部と、を有することでトナー収納部内へトナーをデットスペースが生じることなく効率よく収納することができる。